(57)【特許請求の範囲】
【請求項１】
内容物を収容する袋本体部と、該袋本体部の周縁から外側に向けて突出し、前記内容物を注出する注出部と、を備えた包装容器であって、
前記注出部は対向するシートを含んでなり、
当該注出部には、該注出部が突出する方向の前記袋本体部側で当該包装容器の厚さ方向に膨らんでなる膨らみ部と、前記突出する方向の先端側で前記膨らみ部の幅よりも狭い狭部と、が設けられ、
前記膨らみ部と前記狭部とは、幅が漸次に狭くなると共に、前記対向する各シートが他方側のシートに向かってそれぞれ湾曲した形状をなす連通部によって連通され、
前記膨らみ部は、一方のシートに形成された膨らみが、他方のシートの膨らみよりも当該注出部の前記突出方向の先端側に長く形成されている、包装容器。
【請求項２】
前記膨らみ部は、前記一方のシートに形成された膨らみの幅が、前記他方のシートの膨らみの幅よりも大きく形成されている、請求項１に記載の包装容器。
【請求項３】
前記湾曲した形状は、半径が異なる少なくとも２つの形態の円弧により構成され、
前記突出する方向の先端側の円弧の半径が前記袋本体部側の円弧の半径よりも小さく形成されている、請求項１又は２に記載の包装容器。
【請求項４】
前記膨らみ部の内部には部材が設けられている、請求項１〜３のいずれか１項に記載の包装容器。
【請求項５】
前記袋本体部の前記注出部の近傍には、前記膨らみ部と一体的にドーム状に膨らんだドーム部が形成されている、請求項１〜４のいずれか１項に記載の包装容器。
【発明の詳細な説明】
【技術分野】
【０００１】
本発明は、包装容器に関し、さらに詳しくは、袋本体部に力を加えることによって内容物を注出部から押し出すようにして注出することができる包装容器に関する。
【背景技術】
【０００２】
液体の洗剤、シャンプー、ボディソープ、化粧品、調味料等を内部に収容するために、フィルム材で形成した包装容器が従来から存在する。このような包装容器の中は、内容物を注出させるストロー状の注出部を外周縁の一部に設けた包装容器が存在する。
【０００３】
近年、ストロー状の注出部を設けた包装容器において、注出部の先端を切除しただけでは、注出部の先端が開口されない構成を有する包装容器が提案されている。注出部の先端を切除しても注出部の先端が開口されない構成を設ける目的は、例えば、包装容器を逆さまにしても、内容物が注出部から漏れ出すことを防止することや、切除した部分から空気が入り込むことを防止して内容物の酸化を防ぐこと等である。
【０００４】
例えば、特許文献１により提案されている包装容器において、注出部は、２枚の柔軟性シートが重ね合わせされて構成されている。注出部は、その内面が内容物充填後の常態において密着されるよう構成されている。この包装容器は、本体部分を押しつけて、内圧を上昇させたときに、内容物が注出部に押し出され、押し出された内容物が密着されていた注出部の内面同士分離して切除した切り口の部分を開く。その結果、内容物が注出部から注出される。
【０００５】
この包装容器では、上記の作用を奏すために、注出部を構成している２枚の柔軟性シートのうち、一方の柔軟性シートが、注出部の先端側に向かうにつれて、他方の柔軟性シート側に湾曲されている。また、この注出部は、一方の柔軟性シートの側縁を他方の柔軟性シート側に向けて巻き込むように湾曲させて形成されている。
【０００６】
また、この包装容器では、上記のように注出部を湾曲させる構成を注出部に設ける他に、注出部に折り癖を形成することや、この折り癖を境に、注出部の根元側と先端側とで柔軟性シートの硬度を変えるといった構成が採用されている。
【先行技術文献】
【特許文献】
【０００７】
【特許文献１】特開２００１−１９２０４５号公報
【発明の概要】
【発明が解決しようとする課題】
【０００８】
しかしながら、上記特許文献１で提案されている包装容器は、注出部の内面同士を密着させるための構成が複雑である。そのため、包装容器自体のコストがかさんでしまう。また、構成が複雑なので、製造が困難であり、製造コストもかさんでしまう。
【０００９】
本発明は、上記課題を解決するためになされたものであり、その目的は、簡単な構成の注出部によって、注出部の先端を切除しただけでは注出部の先端が開口されることがない包装容器を低廉なコストで提供することにある。
【課題を解決するための手段】
【００１０】
上記課題を解決するための本発明に係る包装容器は、内容物を収容する袋本体部と、該袋本体部の周縁から外側に向けて突出し、前記内容物を注出する注出部と、を備えた包装容器であって、前記注出部は対向するシートを含んでなり、当該注出部には、該注出部が突出する方向の前記袋本体部側で当該包装容器の厚さ方向に膨らんでなる膨らみ部と、前記突出する方向の先端側で前記膨らみ部の幅よりも狭い狭部と、が設けられ、前記膨らみ部と前記狭部とは、幅が漸次に狭くなると共に、前記対向する各シートが他方側のシートに向かってそれぞれ湾曲した形状をなす連通部によって連通されている。
【００１１】
この発明によれば、上記のように、注出部では、膨らみ部と狭部とは、幅が漸次に狭くなると共に、対向する各シートが他方側のシートに向かってそれぞれ湾曲した形状をなす連通部によって連通されている。そのため、この発明は注出部の先端部分を切除した場合においても、注出部の切り口の位置で、シート同士を密着させる力が働き、切除された切り口の部分が閉じられた形態を維持する。その結果、注出部の先端を切除した後に、注出部が下側を向くように、包装容器を逆さまにしても、包装容器を逆さまにしただけでは、内容物が漏れ出すことを抑制することができる。
【００１２】
本発明に係る包装容器において、前記膨らみ部は、一方のシートに形成された膨らみが、他方のシートの膨らみよりも当該注出部の前記突出方向の先端側まで長く膨んでいる、請求項１に記載の包装容器
【００１３】
この発明によれば、先端側に長く膨らんだシートが短く膨らんだシートをかぶせるようにして覆うので、切り口を適切に閉じることができる。
【００１４】
本発明に係る包装容器において、前記膨らみ部は、前記一方のシートに形成された膨らみの幅が、前記他方のシートの膨らみの幅よりも大きく形成されている。
【００１５】
この発明によれば、幅の広い膨らみが形成されたシートが幅の狭い膨らみが形成されたシートに対し、幅方向の両側から包み込む力を与えるので、切り口を適切に閉じることができる。
【００１６】
本発明に係る包装容器において、前記湾曲した形状は、半径が異なる少なくとも２つの形態の円弧により構成され、前記突出する方向の先端側の円弧の半径が前記袋本体部側の円弧の半径よりも小さく形成されている。
【００１７】
この発明によれば、先端側の半径が小さくなるように円弧状に湾曲しているので、注出部の先端側で、対向するシート同士に対して局部的に圧縮される方向の力を与えることができる。そのため、切り口を適切に閉じることができる。
【００１８】
本発明に係る包装容器において、前記膨らみ部の内部には部材が設けられている。
【００１９】
この発明によれば、部材が膨らみ部の膨らんだ形態を維持する。また、部材が内容物を円滑に切り口まで通す機能を有する。
【００２０】
本発明に係る包装容器において、前記袋本体部の前記注出部の近傍には、前記膨らみ部と一体的にドーム状に膨らんだドーム部が形成されている。
【００２１】
この発明によれば、ドーム部が注出部に生じる内容物の内圧の変化を緩和して、内容物が切り口から漏れ出すことを抑制する。
【発明の効果】
【００２２】
本発明に係る包装容器によれば、注出部の先端側を切除しても、包装容器を逆さまにしたときに、逆さまにしただけでは内容物が漏れ出すことが抑制される包装容器の注出部の構成を簡単にすることができ、しかも低廉なコストで製造することができる。
【図面の簡単な説明】
【００２３】
【図１】本発明に係る包装容器の実施形態の斜視図である。
【図２】図１に示した包装容器を構成する注出部の平面図である。
【図３】注出部に形成された膨らみ部を注出部の延びる方向に模式的に示した説明図である。
【図４】一対のシートにより構成された膨らみ部の幅が表側と裏側とで異なることを説明するための説明図である。
【図５】包装容器から内容物を注出する作用を説明するための説明図である。
【図６】テストに使用した包装容器の注出部を切除した位置を説明するための説明図である。
【発明を実施するための形態】
【００２４】
以下、本発明の実施形態について、図面を参照しながら説明する。なお、以下の実施形態は、本発明に係る包装容器の１つ形態の例として包装容器１を挙げて説明するものであり、本発明の技術的範囲は、以下の説明の内容及び図面に示した形態に限定されるものではなく、実施形態に示した技術的思想と同様の形態に係る包装容器を含むものである。
【００２５】
［基本構成］
本発明に係る包装容器１は、図１に示すように、内容物を収容する袋本体部１０と、この袋本体部１０の周縁から外側に向けて突出し、内容物を注出する注出部３０と、を備えている。注出部３０は対向するシートを含んで構成されている。この注出部３０には、注出部３０が突出する方向の袋本体部１０側で包装容器１の厚さ方向に膨らんでなる膨らみ部３１と、注出部３０が突出する方向の先端側で膨らみ部３１の幅よりも狭い狭部３５と、が設けられている。そして、膨らみ部３１と狭部３５とは、幅が漸次に狭くなると共に、対向する各シートが他方側のシートに向かってそれぞれ湾曲した形状をなす連通部３６によって連通されている。
【００２６】
なお、「袋本体部１０の周縁」とは、袋本体部１０の周りを構成している縁部のことを意味する。「湾曲」とは、弓なりに曲がること、すなわち、曲線的に曲がることを意味する。「連通」とは、流体が流通できるように連なって通じることを意味する。
【００２７】
こうした構成を備えた包装容器１によれば、注出部３０の先端側を切除しても、包装容器１を逆さまにしたときに、逆さまにしただけでは内容物が漏れ出すことがない包装容器１を提供することができる。しかも、注出部３０の構成を簡単にすることができ、且つ低廉なコストで製造することができるという特有の効果を奏する。
【００２８】
以下、本発明に係る包装容器１の各構成について説明する。
【００２９】
図１は、本発明に係る包装容器１の一実施形態を示している。包装容器１は、内容物を収容するための袋本体部１０と、袋本体部１０に収容された内容物を包装容器１の外に注出するための注出部３０とを備えている。この包装容器１は、注出部３０の先端を切除し、包装容器を逆さまにしたときに、包装容器１を逆さまにしただけでは、内容物が注出部３０からこぼれ出すことがなく、袋本体部１０を手で押しつけて、内圧をかけることにより初めて内容物が注出されるという特徴を有している。
【００３０】
なお、図１に示した包装容器１は、本発明に係る包装容器１の１つの形態を代表例として示したものであって、本発明は、図１に示した形態の包装容器１とは異なる形態の包装容器にも適用することができる。
【００３１】
この包装容器１は、内部に収容する内容物の粘度が高い液体から低い液体まで、広範囲の粘度を有する液体を収容することを想定している。具体的に想定している内容物は、（１）ボディソープ、シャンプー、コンディショナー等のインバス製品、（２）洗濯用洗剤、食器等を洗浄する台所用洗剤等のホームケア製品、（３）醤油、ソース、ケチャップ、食用油等の食品である。
【００３２】
（袋本体部）
袋本体部１０は、上述した内容物が収容される構成部である。図１に示した例の袋本体部１０は、相互に対向する前面部１１と背面部１２を有している。また、袋本体部１０は、底部を閉じている底面部１３を備えている。
【００３３】
前面部１１は、袋本体部１０の前側を構成し、背面部１２は、袋本体部１０の後ろ側を構成している。図１に示した例では、前面部１１及び背面部１２は、共に平面シートによりそれぞれ構成されている。前面部１１と背面部１２とは、各々の周縁のうち、包装容器１の上部をなす位置が上面シール部１４によりシールされ、両側部が側縁シール部１５，１６によってシールされている。
【００３４】
具体的に、図１に示した例の包装容器１において、前面部１１及び背面部１２の幅方向における、注出部３０が設けられた位置より一方側（図１の右側）の上部は、前面部１１及び背面部１２の上端縁に沿って直線状に延びる上面シール部１４によりシールされている。
【００３５】
また、前面部１１及び背面部１２の幅方向の中間位置は、中央又は中央よりもやや他方側（図１の左側）にずれた位置にて、包装容器１の上下方向に延びる中央シール部１８ａによって袋本体部１０の上側の一定の領域がシールされている。また、注出部３０の根元の位置から他方側の側縁をシールしている側縁シール部１６の間は、他方側の側縁に向かって斜め下方に延びる斜めシール部１８ｂによってシールされている。後述する注出部３０は、中央シール部１８ａと斜めシール部１８ｂとの間の位置に設けられている。
【００３６】
さらに、中央シール部１８ａよりも他方側の領域、且つ斜めシール部１８ｂよりも上側の領域には前面部１１と背面部１２とをシールして構成された保護シール部１９が形成されている。この保護シール部１９は、注出部３０の周囲を全体的に囲むようにして構成されており、高い強度と剛性を備えることによって、注出部３０を保護している。
【００３７】
上記の中央シール部１８ａ、斜めシール部１８ｂ及び保護シール部１９は、元々は、前面部１１と背面部１２とを注出部３０の周りで一体的にシールして形成されたシール部である。中央シール部１８ａ、斜めシール部１８ｂ及び保護シール部１９は、この一体化されたシール部をトムソン刃等で打ち抜き、切り込み２０を入れ、区分けされることにより形成されている。この切り込み２０には、切り込み２０が延びる全長のうち、局所的に切り込み２０の両側を接続する部分が設けられている。そのため、保護シール部１９は、トムソン刃等で打ち抜いた後も、包装容器１から切り離されることがなく、包装容器１に接続された形態が維持されている。
【００３８】
切り込み２０は、袋本体部１０の中央よりも他方側で包装容器１の上部の一定の領域にて縦方向に延びる部分、注出部３０の周囲にて注出部３０から一定の隙間を空けた部分、及び注出部３０の根元から他方側に向けて下方に延びる部分によって、それぞれ形成されている。
【００３９】
底面部１３は、長方形をなす部材により構成されており、短軸方向の中央で２つ折りに折り込まれている。底面部１３は、２つ折りにされた形態で、短軸方向の両側をなす縁部が前面部１１及び背面部１２の下端にて底面シール部１７によりシールされると共に、長軸方向の両側をなす縁部が前面部１１及び背面部１２の側縁の下部にて側縁シール部１５，１６によってシールされている。
【００４０】
袋本体部１０の注出部３０の近傍には、この包装容器１の厚さ方向にドーム状に膨らんだドーム部２１が形成されている、このドーム部２１は、後述する注出部３０に形成された膨らみ部３１と一体をなして構成されている。このドーム部２１の幅は、後述する注出部３０に形成された膨らみ部３１の幅よりも大きく形成されている。
【００４１】
なお、「注出部３０の近傍」とは、注出部３０の近い位置のことを意味し、「付近」と同様の意味である。また、「ドーム」とは、基部が円形や楕円形等の曲線からなる図形により形成され、基部の内側が曲面的にふくれあがった形状をここでは意味する。
【００４２】
以上の構成を備えた包装容器１の袋本体部１０は、ヒートシールを施して形成される一般的な材料からなるシートを用いて形成することができ、特殊な材料のフィルムを用いる必要はない。
【００４３】
シートとして用いられる材料としては、従来から用いられているフィルムを用いることができる。フィルムとしては、例えば、二軸延伸ポリプロピレン、二軸延伸ポリアミド、二軸延伸ポリエステル等からなるフィルムを基材フィルムとし、これらの基材フィルムに、低密度ポリエチレン、直鎖状低密度ポリエチレン、エチレン−酢酸ビニル共重合体、ポリプロピレン等のポリオレフィン系樹脂をシーラント層として積層した積層フィルムを挙げることができる。積層フィルムは、例えば、ドライラミネート法、押出ラミネート法、共押出法等により形成される。また、基材フィルム層とシーラント層との間には、接着剤やアンカー剤等を設けることによって、接着強度を向上させることができる。なお、バリア性を高めることが必要な場合、アルミニウム箔等の金属箔、金属蒸着層、セラミック等の無機質蒸着層、エチレン−ビニルアルコール共重合体フィルム等を積層することができる。
【００４４】
以上、袋本体部１０が前面部１１、背面部１２及び底面部１３により構成された場合を例に説明した。ただし、本発明は、他の構成の袋本体部にも適用することができる。他の構成の袋本体部としては、以下の構成の袋本体部を例に挙げることができる。
【００４５】
（１）前面部及び背面部だけで構成された袋本体部
袋本体部は、底面部を設けることなく前面部と背面部とだけで構成することができる。この構成の袋本体部としては、２枚の平面シートの周縁をシールして形成する形態、１枚の平面シートを二つ折りにして、３方をシールして形成する形態の両方を挙げることができる。
【００４６】
（２）側面部をさらに設けた袋本体部
袋本体部は、前面部、背面部及び底面部に加えて側面部を設けた形態を採用することもできる。ここでいう側面部とは、前面部と背面部の両側部同士をつなぐ面を意味する。
【００４７】
（注出部）
注出部３０は、袋本体部１０に収容された内容物を包装容器１の外部に注出するための構成部である。この注出部３０は、包装容器１の幅方向において、上述した中央シール部１８ａと斜めシール部１８ｂとの間にて、前面部１１を構成するシート及び背面部１２を構成しているシートをそれぞれ外側に突出させることにより構成されている。注出部３０の周縁はシールされていて、内部が空洞のストロー状に構成されている。以下では、注出部３０を構成している部材を単にシートとよんで説明する。
【００４８】
注出部３０には、図２に示すように、この注出部３０が突出する方向の中間位置、具体的には、注出部３０が突出する方向の中間位置よりも袋本体部１０に近い位置に、包装容器１の厚さ方向に膨らんだ膨らみ部３１が形成されている。また、注出部３０には、突出する方向における中間位置よりも先端側に、幅が前記膨らみ部３１の幅よりも狭く形成された狭部３５が設けられている。この狭部３５と膨らみ部３１とは、両者の間に段差や切れ目がないようになめらかに接続している連通部３６によって連通されている。連通部３６では、注出部３０の幅が先端側に向かうに従って漸次に狭くなるように形成されている。
【００４９】
ここで、「注出部３０の幅が先端側に向かうに従って漸次に狭くなる」ことについて説明する。「注出部３０の幅が先端側に向かうに従って漸次に狭くなる」とは、図２に示した膨らみ部３１の側縁の傾斜角θが、１３５度以上、１６５度以下に形成されることを意味する。
【００５０】
そして、連通部３６では、図３に示すように、膨らみ部３１から狭部３５に向かうにしたがって、膨らみの程度が漸次に小さくなるように形成されている。具体的に、注出部３０を構成し、相互に対向しているシートは、各々対向する他方側のシートに向かって湾曲した形状をなして膨らみの程度が漸次に小さくされている。なお、図３は、注出部３０から膨らみ部３１だけを抜き出して模式的に示した図である。
【００５１】
ここで、「膨らみの程度が漸次に小さくされている」ことについて説明する。「膨らみの程度が漸次に小さくされている」とは、注出部３０が突出する方向において、注出部３０の先端側に移動するにしたがって、膨らみの高さが低くなることを意味する。
【００５２】
注出部３０を構成する一対のシートは、図３に示すように、この注出部３０が延びる方向の膨らみの長さが、一方のシートの膨らみと他方のシートの膨らみとの間で相互に異なっている。図３に示した例では、包装容器１の前面部１１をなす表側のシートが、背面部１２をなす裏側のシートよりも注出部３０の先端側まで膨んでいる。そのため、包装容器１の前面部１１をなす表側のシートの膨らみ３２が、背面部１２をなす裏側のシートの膨らみ３３よりも注出部３０の先端側に長く形成されている。
【００５３】
膨らみ部３１の湾曲した形状は、半径が異なる少なくとも２つの形態の円弧により構成されていてもよい。円弧により構成した場合、各円弧において、注出部３０が突出する方向の先端側の円弧の半径が注出部３０が突出する方向の袋本体部１０側の円弧、すなわち、注出部３０の根元側の円弧の半径よりも小さく形成される。具体的に、前面部１１及び背面部１２の各膨らみ部３１において、注出部３０の先端側の円弧状の部分の半径Ｒ２，Ｒ４が袋本体部１０側の円弧、すなわち、注出部３０の根元側の円弧の半径Ｒ１，Ｒ３よりも小さくなるようにそれぞれ形成されている。
【００５４】
先端側の円弧状の部分の半径Ｒ２，Ｒ４と、根元側の円弧状の部分の半径Ｒ１，Ｒ３との関係は、半径Ｒ２，Ｒ４が半径Ｒ１，３の６分の１以上、４分の１以下の範囲に形成されている。
【００５５】
そのため、一対のシートは、膨らみ部３１を構成している半径の小さく形成された円弧状の部分で、急激に接近する形態をなしている。しかも、膨らみの長さが相互に異なっているので、注出部３０が延びる方向の異なる位置で、前面部１１側と及び背面部１２側をなす一方の側のシートは他方側のシートに急激に接近する形態をなしている。そして、前面部１１をなす表面のシートの膨らみの先端の位置３２ａと、背面部１２をなす裏面のシートをなす膨らみの先端の位置３３ｂとは、注出部３０の延びる方向に２ｍｍ以上、１５ｍｍ以下の範囲でずれている。図３に示した例では、先端の位置３２ａと先端の位置３３ｂとが、最適な距離である約５ｍｍだけずれている。
【００５６】
上記の「急激に接近する」とは、一方のシートが他方のシートに向かって湾曲する程度が大きくなることを意味し、具体的には、上述したように、先端側の円弧状の部分の半径Ｒ２，Ｒ４が根元側の円弧状の部分の半径Ｒ１，Ｒ３の６分の１以上、４分の１以下の範囲に形成されることである。
【００５７】
また、図４に示すように、前面部１１をなす表面のシートの膨らみ３２の幅と背面部１２をなす裏面のシートの膨らみ３２の幅は、相互に異なっていてもよい。図４（Ａ）は、前面部１１をなす表面のシートの膨らみ３２の幅Ｈ１を示し、図４（Ｂ）は、背面部１２をなす裏面のシートの膨らみ３３の幅Ｈ２を示している。図４に示した例では、前面部１１をなす表面のシートの膨らみ３２の幅Ｈ１が、背面部１２をなす裏面のシートの膨らみ３３の幅Ｈ２よりも大きく形成されている。
【００５８】
以上のように構成された膨らみ部３１の内部には、部材４０が設けられている。この部材４０は、膨らみ部３１の膨らみの形態を維持するために設けられている。部材４０の外周面と注出部３０を構成する一対のシートの内面とは、膨らみ部３１の位置で少なくとも部分的にシールされている。そのため、袋本体部１０に収容されている内容物は、部材４０の内側や、その周囲等を通って注出部３０から包装容器１の外部に注出される。なお、この実施形態では、部材４０の一例とし、筒状に形成された形態のものを示しているが、部材４０の形状は、筒状であることには限定されない。また、部材４０は、この包装容器１にとって、必須の構成部ではなく、必要に応じて設ければよい。
【００５９】
以上に説明したように、注出部３０は、膨らみ部３１の形状が前面部１１をなす表側のシートと背面部１２をなす裏側のシートとで、各々の膨らみ３２，３３の長さと幅とが異なるよう形成されている。そのため、注出部３０の先端を切除したときに、膨らみ部３１の膨らみ３２の長さが長く、且つ膨らみ３２の幅が大きく形成されているシートが、膨らみ３３の長さが短く、且つ膨らみ３３の幅が狭く形成されているシートを覆うように被さり、切除された切り口が閉じられる。
【００６０】
とりわけ、膨らみ部３１を構成している各膨らみ３２，３３は、注出部３０の先端側の円弧状の部分の半径Ｒ２，Ｒ４が注出部３０の根元側の円弧状の部分の半径Ｒ１，Ｒ３よりも小さくなるようにそれぞれ形成されており、半径の小さく形成された円弧状の部分で、急激に接近する形態をなしている。そのため、一対のシート同士には、半径が小さくされた位置にて高い密着性が与えられる。その結果、注出部３０の先端を切除し、注出部３０が下側に向くように、包装容器１を逆さまにしても、注出部３０の切除された切り口は、閉じた形態が維持され、内容物が漏れ出すことを効果的に抑制する。なお、膨らみ３２の先端側の注出部３０に、注出部３０と直交する方向に折り目を設けてもよい。
【００６１】
（膨らみ部の製造方法）
膨らみ部３１は、注出部３０を一般的な成形方法を利用して製造される。具体的には、真空成形、圧空成形や、雄雌型による成形等によって、膨らみ部３１は形成される。
【００６２】
（包装容器の作用）
以上に説明した包装容器１の作用について、図５を参照して説明する。なお、図５（Ａ）は、袋本体部１０に力を与えずに、注出部３０が下側を向くように包装容器１を逆さまにした状態を示し、図５（Ｂ）は、注出部３０が下側を向くように包装容器１を逆さまにした状態で袋本体部１０に力を加えて押圧した状態を示している。なお、この図５に示すように、包装容器１の注出部３０の先端を切除した後には、保護シール部１９は取り外される。図５（Ａ）及び図５（Ｂ）は、保護シール部１９が取り外された後の形態の包装容器１をそれぞれ示している。
【００６３】
図５（Ａ）に示すように、注出部３０の先端を切除し、注出部３０を下側に向けくように、用容器１を逆さまにしたときに、包装容器１を逆さまにしただけでは、内容物は、注出部３０を切除した切り口の部分から漏れ出すことがない。これは、上述したように、注出部３０が備えた膨らみ部３１の作用によるものであり、膨らみ部３１が注出部３０の切り口の部分を閉じていることによる。
【００６４】
次に、図５（Ｂ）に示すように、袋本体部１０を一定の力で押圧し、内圧を上昇させると、内容物が閉じていた切り口を押し開き、注出部３０の切り口の部分から外部に注出される。本実施形態の包装容器１では、袋本体に１ｋｇ以上、１５ｋｇ以下の力を加えた場合に、内容物が注出部３０から注出される。
【００６５】
［テスト］
テストは、包装容器１に収容した内容物を注出させる注出テストと、内容物が漏れ出さないことを確認する液止まりテストの２種類のテストを行った。
【００６６】
注出テストは、内容物が収容された包装容器１に対して、袋本体部１０を押圧し、内容物が注出部３０から注出したときの力を測定するテストである。
【００６７】
液止まりテストは、本実施形態の包装容器１を用いて行った。具体的に、液止まりテストは、注出部３０の先端を切除して、包装容器１を逆さまにして、包装容器１に収容した内容物（液体）が漏れ出さないことを確認するためのテストである。
【００６８】
液止まりテストは、２０℃時の粘度が約２５００ｍＰａ・ｓの液体を包装容器１の内部に収容し、４０℃の雰囲気温度の環境下で２４時間逆さまに吊り下げた状態を維持し、内容物が漏れ出したか否かの確認を行った。
【００６９】
各テストは、図６に示すように、注出部３０において、膨らみ部３１よりも先端側を切除して行った。具体的に、テストは、前面部１１側の膨らみ部３１を構成している膨らみ３２の先端３２ａから１０．５ｍｍの位置５１を切除した第１サンプルと、前面部１１側の膨らみ部３１を構成している膨らみ３３の先端３３ａから５．５ｍｍの位置５２を切除した第２サンプルとについて行った。第１サンプル及び第２サンプルのサンプル数は、いずれも３０である。
【００７０】
［テスト結果］
テスト結果を表１にまとめて示す。
【００７１】
【表１】
0006762757.tif 000002
【００７２】
注出テストに関しては、表１に示すように、第１サンプルにおいて、袋本体部１０を押圧し内容物が注出部３０から注出された時の力の最大値は８．０ｋｇであり、最小値は４．８ｋｇであり、平均値は８．０ｋｇであった。一方、第２サンプルにおいて、袋本体部１０を押圧し内容物が注出部３０から注出された時の力の最大値は５．７ｋｇであり、最小値は２．２ｋｇであり、平均値は５．７ｋｇであった。
【００７３】
液止まりテストに関しては、表１に示すように、第１サンプル及び第２サンプルのいずれについても、３０のサンプルすべてにおいて液漏れは発生しなかった。表１において、「○」は、液漏れが発生しなかったことを意味する。
【００７４】
このテストの結果から分かるように、本発明に係る包装容器１では、注出部３０の先端を切除した場合、包装容器１を逆さまにしただけでは、内容物が漏れださいことが証明された。このことは、本発明に係る包装容器１では、注出部３０の切除された部分は、対向する一対のシートが互いに密着し、切除した部分を閉じているといえる。
【００７５】
以上に説明した包装容器１には、以下に示す効果を奏することができる。
【００７６】
（１）コストが低廉である
本実施形態の包装容器１は、注出部３０の構造が簡単である。そのため、逆止弁を備えた包装容器１に比べて包装容器１を容易に製造することができる。その結果、製造コストを低廉に抑えることができる。また、本実施形態の包装容器１は、包装容器１に一般に用いられている材料を用いて製造することができる。そのため、特注な材料を用いたボトル等に比べ、材料費を低廉に抑えることができる。
【００７７】
（２）廃棄時にかさばらない
本実施形態の包装容器１は、袋本体部１０が平面部１１，１２と底面部１３とで構成されている。また、注出部３０は、対向するシートに膨らみを持たせた膨らみ部３１を有して構成されている。そして、膨らみ部３１の内部に設けられた部材４０は樹脂で形成されている。そのため、包装容器１から内容物を注出した後に、包装容器１を廃棄するときに、包装容器１を平坦に押しつぶした形態にすることができる。その結果、包装容器１を廃棄するときに、かさばることがないというメリットがある。
【００７８】
（３）環境に対する負荷が低い
本実施形態の包装容器１は、袋本体部１０及び注出部３０を同じ材料で形成することができる。また、上述したように、注出部３０の構造を簡単な構造にしている。そのため、包装容器１を少ない材料で製造することができ、環境への負荷を低くすることができる。
【符号の説明】
【００７９】
１  包装容器
１０  袋本体部
１１  前面部
１２  背面部
１３  底面部
１４  上面シール部
１５，１６  側縁シール部
１７  底面シール部
１８ａ  中央シール部
１８ｂ  斜めシール部
１９  保護シール部
２０  切り込み
３０  注出部
３１  膨らみ部
３２，３３  膨らみ
３２ａ，３３ａ  膨らみの先端
３５  狭部
３６  連通部
４０  部材
【図１】
0006762757.tif 000003
【図２】
0006762757.tif 000004
【図３】
0006762757.tif 000005
【図４】
0006762757.tif 000006
【図５】
0006762757.tif 000007
【図６】
0006762757.tif 000008